(57)【要約】      （修正有）【課題】陶磁製容器の底部に穴を設けても液漏れが生じることがなく底部の安定性を害することもなく興趣に富んだ陶磁製容器およびその陶磁製容器を使用した発光載置台付陶磁製容器を提供する。【解決手段】陶磁製容器１は、上部に開口２を有した側壁部３と、側壁部と一体に成形された底部４とを有し、底部には貫通孔５が設けられると共に貫通孔は透明性釉薬または半透明性釉薬６にて閉塞されている。また、発光載置台付陶磁製容器１０は、陶磁製容器１を上面１１に載置可能であると共に、発光体を有し上方に向って発光可能に設けられた発光載置台１３を有している。【選択図】図３
0003231050.tif 000002
【実用新案登録請求の範囲】
【請求項１】
上部に開口を有した側壁部と、該側壁部と一体に成形された底部とを有し、前記底部には貫通孔が設けられると共に前記貫通孔は透明性釉薬または半透明性釉薬にて閉塞されていることを特徴とする陶磁製容器。
【請求項２】
前記底部の前記貫通孔は複数設けられている請求項１に記載の陶磁製容器。
【請求項３】
前記側壁部にも前記貫通孔が設けられると共に前記貫通孔は透明性釉薬または半透明性釉薬にて閉塞されている請求項１または２に記載の陶磁製容器。
【請求項４】
前記側壁部の前記貫通孔は複数設けられている請求項３に記載の陶磁製容器。
【請求項５】
上部に開口を有した側壁部と、該側壁部と一体に成形された底部とを有し、前記底部には貫通孔が設けられると共に前記貫通孔は透明性釉薬または半透明性釉薬にて閉塞された陶磁製容器と、該陶磁製容器を上面に載置可能であると共に、発光体を有し上方に向って発光可能に設けられた発光載置台とを有したことを特徴とする発光載置台付陶磁製容器。
【請求項６】
前記底部の前記貫通孔は複数設けられている請求項５に記載の発光載置台付陶磁製容器。
【請求項７】
前記側壁部にも前記貫通孔が設けられると共に前記貫通孔は透明性釉薬または半透明性釉薬にて閉塞されている請求項５または６に記載の発光載置台付陶磁製容器。
【請求項８】
前記側壁部の前記貫通孔は複数設けられている請求項７に記載の発光載置台付陶磁製容器。
【請求項９】
前記発光載置台の前記発光体は、ＬＥＤである請求項５ないし８のいずれかに記載の発光載置台付陶磁製容器。
【考案の詳細な説明】
【技術分野】
【０００１】
本考案は、興趣に富む陶磁製容器およびその陶磁製容器を使用した発光載置台付陶磁製容器に関するものである。
【背景技術】
【０００２】
従来より、陶器または磁器からなる陶磁製容器が種々創作され提供されている（例えば特開２０１８−５２０９２号公報）。
この種の陶磁製容器は、容器である以上、少なくとも底部に穴を設けることは液漏れの原因となり好ましくない。また、底部は容器自体の配置状態を安定させる部位であるため穴が設けられることは基本的に好ましくない。
【先行技術文献】
【特許文献】
【０００３】
【特許文献１】特開２０１８−５２０９２号公報
【考案の概要】
【考案が解決しようとする課題】
【０００４】
しかし、本願考案者らは、底部に穴を設けることにより、興趣に富んだ陶磁製容器を想起し本考案を完成するに至った。すなわち、本考案の課題は、陶磁製容器の底部に穴を設けても液漏れが生じることがなく底部の安定性を害することもなく新規でかつ興趣に富んだ陶磁製容器およびその陶磁製容器を使用した発光載置台付陶磁製容器を提供することにある。
【課題を解決するための手段】
【０００５】
上記課題を解決するものは、上部に開口を有した側壁部と、該側壁部と一体に成形された底部とを有し、前記底部には貫通孔が設けられると共に前記貫通孔は透明性釉薬または半透明性釉薬にて閉塞されていることを特徴とする陶磁製容器である（請求項１）。
【０００６】
前記底部の前記貫通孔は複数設けられていることが好ましい（請求項２）。前記側壁部にも前記貫通孔が設けられると共に前記貫通孔は透明性釉薬または半透明性釉薬にて閉塞されていることが好ましい（請求項３）。前記側壁部の前記貫通孔は複数設けられていることが好ましい（請求項４）。
【０００７】
また、上記課題を解決するものは、上部に開口を有した側壁部と、該側壁部と一体に成形された底部とを有し、前記底部には貫通孔が設けられると共に前記貫通孔は透明性釉薬または半透明性釉薬にて閉塞された陶磁製容器と、該陶磁製容器を上面に載置可能であると共に、発光体を有し上方に向って発光可能に設けられた発光載置台とを有したことを特徴とする発光載置台付陶磁製容器である（請求項５）。
【０００８】
前記底部の前記貫通孔は複数設けられていることが好ましい（請求項６）。前記側壁部にも前記貫通孔が設けられると共に前記貫通孔は透明性釉薬または半透明性釉薬にて閉塞されていることが好ましい（請求項７）。前記側壁部の前記貫通孔は複数設けられていることが好ましい（請求項８）。前記発光載置台の前記発光体は、ＬＥＤであることが好ましい（請求項９）。
【考案の効果】
【０００９】
請求項１に記載した陶磁製容器によれば、陶磁製容器の底部に穴を設けても液漏れが生じることがなく底部の安定性を阻害することもなく新規でかつ興趣に富んだ陶磁製容器を構成できる。
請求項２に記載した陶磁製容器によれば、より興趣に富んだ陶磁製容器を構成できる。
請求項３または４に記載した陶磁製容器によれば、さらに興趣に富んだ陶磁製容器を構成できる。
請求項５に記載した発光載置台付陶磁製容器によれば、底部の貫通孔から発光体の光が内部に流入する興趣に富んだ発光載置台付陶磁製容器を構成できる。
請求項６に記載した発光載置台付陶磁製容器によれば、より興趣に富んだ発光載置台付陶磁製容器を構成できる。
請求項７または８に記載した発光載置台付陶磁製容器によれば、底部の貫通孔から内部に流入した発光体の光が側壁部の貫通孔から外方に流出入する、より興趣に富んだ発光載置台付陶磁製容器を構成できる。
請求項９に記載した発光載置台付陶磁製容器によれば、上記請求項８ないし１１の効果を奏する発光載置台付陶磁製容器をより簡素な構造で構成できる。
【図面の簡単な説明】
【００１０】
【図１】本考案の陶磁製容器の一実施例の斜視図である。
【図２】図１に示した陶磁製容器の拡大平面図である。
【図３】本考案の発光載置台付陶磁製容器の一実施例の斜視概略図である。
【図４】図３に示した発光載置台付陶磁製容器における発光載置台の斜視図である。
【図５】図４に示した発光載置台の底面図である。
【考案を実施するための形態】
【００１１】
本考案では、上部に開口２を有した側壁部３と、側壁部３と一体に成形された底部４とを有し、底部４には貫通孔５が設けられると共に貫通孔５は透明性釉薬または半透明性釉薬６にて閉塞されていることにより、陶磁製容器の底部に穴を設けても液漏れが生じることがなく底部の安定性を害することもなく新規でかつ興趣に富んだ陶磁製容器１を実現した。
【実施例１】
【００１２】
本考案の陶磁製容器を図１または図２に示した一実施例を用いて説明する。
この実施例の陶磁製容器１は、上部に開口２を有した側壁部３と、側壁部３と一体に成形された底部４とを備えた容器本体７からなる陶磁製容器であって、底部４には貫通孔５が設けられると共に貫通孔５は透明性釉薬または半透明性釉薬６にて閉塞されている。以下、各構成について順次詳述する。
【００１３】
この実施例の陶磁製容器１は、容器本体７が有底筒状体に形成され、コップまたは湯飲みとして使用可能な陶磁製容器であるが、本考案の陶磁製容器は、コップまたは湯飲みに限定されるものではなく、上部に開口を有した側壁部と、側壁部と一体的に成形された底部を備えた容器本体であって陶磁製（陶器または磁器、この実施例は磁器）のものを広く含む概念であって、例えば皿、ボウル、蓋付容器、急須なども広く本考案の陶磁製容器の範疇に包含される。
【００１４】
この実施例の陶磁製容器１は、図１または図２に示すように、上部に開口２を有した側壁部３と、側壁部３と一体に成形された底部４とを備えた容器本体７からなる。そして、本考案の陶磁製容器１の底部４には多数の貫通孔５が設けられており、これらの貫通孔５は透明性釉薬または半透明性釉薬６にて閉塞されている。
【００１５】
この実施例の底部４に設けられた貫通孔５は、図２に示すように、各貫通孔５が桜の花びらの形状に形成されており、それらの花びらが複数放射状に配置されて桜の花をイメージさせ、あるいは単数で配置され桜の花が散るイメージを想起させる形態に構成されている。ただし、底部４に設けられた貫通孔５の形状は、桜の花びら形状に限定されるものではなく、特に興趣に富む陶磁製容器を構成するための形状、例えば他の花びら形状や風景などの様々な形状の貫通孔も本考案の範疇に広く包含される。
【００１６】
また、この実施例の底部４に設けられた貫通孔５は、無色透明の透明性釉薬６にて閉塞されている。ただし、底部に設けられた貫通孔はこれに限定されるものではなく、有色透明の透明性釉薬や半透明性釉薬などにより閉塞されているものも本考案の範疇に包含される。
【００１７】
このように、本考案の陶磁製容器１は、底部４に設けられた貫通孔５が透明性釉薬または半透明性釉薬６にて閉塞されているため、底部４に穴を設けても液漏れが生じることがなく底部の安定性を害することもなく、貫通孔５から光が内部に流入可能で、新規でかつ興趣に富んだ陶磁製容器１が構成される。
【００１８】
そして、この実施例の陶磁製容器１は、側壁部３にも複数の貫通孔５が設けられると共に貫通孔５は透明性釉薬または半透明性釉薬６にて閉塞されている。
【００１９】
この実施例の側壁部３に設けられた貫通孔５も、図１または図２に示すように、各貫通孔５が桜の花びらの形状に形成されており、それらの花びらが複数放射状に配置されて桜の花をイメージさせ、あるいは単数で配置され桜の花が散るイメージを想起させる形態に構成されている。ただし、側壁部３に設けられた貫通孔５の形状は、桜の花びら形状に限定されるものではなく、特に興趣に富む陶磁製容器を構成するための形状、例えば他の花びら形状や風景などの様々な形状の貫通孔も本考案の範疇に広く包含される。
【００２０】
また、この実施例の側壁部３に設けられた貫通孔５は、無色透明の透明性釉薬６にて閉塞されている。ただし、底部に設けられた貫通孔はこれに限定されるものではなく、有色透明の透明性釉薬や半透明性釉薬などにより閉塞されているものも本考案の範疇に包含される。
【００２１】
このように、本考案の陶磁製容器１は、側壁部３に設けられた貫通孔５も透明性釉薬または半透明性釉薬６にて閉塞されているため、側壁部３に設けられた貫通孔５から光が流出入可能であり、新規でかつ興趣に富んだ陶磁製容器１が構成される。
【００２２】
つぎに、本考案の陶磁製容器の製造方法を、上記陶磁製容器１の製造方法を例に説明する。
この実施例の陶磁製容器１の製造方法は、陶磁原料を用いて上部に開口２を有した側壁部３と、側壁部３の下部に設けられた底部４を備えた容器本体７を成形する工程と、容器本体７を乾燥する工程と、容器本体７を素焼きする工程と、素焼きした容器本体７の底部４および側壁部３を穿孔して貫通孔５を設ける工程と、底部４および側壁部３の貫通孔５に透明釉薬または半透明性釉薬６を充填して貫通孔５を閉塞する工程と、容器本体７を本焼成する工程とを有している。以下、各工程について順次詳述する。
【００２３】
容器本体７を成形する工程では、陶磁原料（この実施例の陶磁製容器１であるため磁器土）を用いて、上部に開口２を有した側壁部３と、側壁部３の下部に設けられた底部４を備えた容器本体７（図１）を、例えば鋳型を使用した鋳込み成形等により成形する。
【００２４】
容器本体７を乾燥する工程では、素焼き時のひび・割れを防止するために、乾燥室などに配置して充分に乾燥させる。
【００２５】
容器本体７を素焼きする工程では、本焼成の際の収縮率を小さくするために、成形し乾燥させた容器本体７を約８００〜１０００度程度の低温で焼成する。この素焼きの後、必要に応じて、手書き、判印、プリントまたは転写などで下絵付けを行ってもよい。
【００２６】
容器本体７の底部４および側壁部３を穿孔して貫通孔５を設ける工程は、ＮＣ加工（numerical control machining）により行われる。この貫通孔５を設ける工程は、例えばサンドブラスト加工などによって行ってもよいが、より確実かつ綺麗に貫通孔５を形成するためにはＮＣ加工によることが好ましい。
【００２７】
底部４および側壁部３の貫通孔５に透明釉薬または半透明性釉薬６を充填して貫通孔５を閉塞する工程では、筆や布などの充填具を用いて貫通孔５内に充填した後、乾燥させて貫通孔５を閉塞させる。そして、容器本体７の内外底面全体を無色透明釉薬などで施釉して乾燥させる。
【００２８】
容器本体７を本焼成する工程では、約８００〜１３００度程度で焼成、生地を焼き絞める。この本焼成の後、必要に応じて、手書き、判印、プリントまたは転写などで上絵付けを行い低温で焼いて発色させてもよい。
【００２９】
さらに、本考案の発光載置台付陶磁製容器を図３ないし図５に示した一実施例を用いて説明する。
この実施例の発光載置台付陶磁製容器１０は、上部に開口２を有した側壁部３と、側壁部３と一体に成形された底部４とを有し、底部４には貫通孔５が設けられると共に貫通孔５は透明性釉薬または半透明性釉薬６にて閉塞された陶磁製容器１と、陶磁製容器１を上面１１に載置可能であると共に、発光体１２を有し上方に向って発光可能に設けられた発光載置台１３とを有している。以下、各構成について詳述するが、陶磁製容器１については前述した通りであり説明を省略する。
【００３０】
この実施例の発光載置台１３は、図４に示すように、発光体１２を中央部に有しており、この発光体（この実施例ではＬＥＤ）１２が上方に向って発光可能に設けられている。
【００３１】
具体的には、この実施例の発光載置台１３は、図４または図５に示すように、円盤状の基盤１８と、透明性樹脂にて円盤状に成形された透明性蓋体１５とを係合させることによりケース１９を構成しており、陶磁製容器１のコースターとして使用可能な形態に構成されている。
【００３２】
発光載置台１３のケース１９内には、発光体１２を発光させるための制御部（具体的には制御基板、図示しない）、電源としての電池（図示しない）、透明性蓋体１５から目視可能な模様シート（図中模様は図示しない）１６および発光体１２の周囲に配され発光体１２の光を反射させで増幅させるホログラムシート１７がそれぞれ配されている。
【００３３】
発光載置台１３の基盤１８の裏側には、裏面２０より若干下方に突出するように配された発光スイッチ１４が設けられており、発光載置台１３の上面１０に陶磁製容器１を載置すると、その重みで発光スイッチ１４が内側（上側）に押圧されて発光体１２が発光するように制御されている。
【００３４】
そして、発光スイッチ１４は七色に発光するように構成されており、発光スイッチ１４からのＬＥＤ光は、底部４の貫通孔５の透明性釉薬または半透明性釉薬６内を透過して陶磁製容器１内部に流入し、さらに、開口２から外方に流出し、または側壁部３に設けられた貫通孔５の透明性釉薬または半透明性釉薬６を透過して外方に流出することで、興趣に富んだ作用を奏するように構成されている。
【符号の説明】
【００３５】
１      陶磁製容器
２      開口
３      側壁部
４      底部
５      貫通孔
６      透明性釉薬または半透明性釉薬
７      容器本体
１０    発光載置台付陶磁製容器
１１    上面
１２    発光体
１３    発光載置台
１４    発光スイッチ
１５    透明性蓋体
１６    模様シート
１７    ホログラムシート
１８    基盤
１９    ケース
２０    裏面
【図１】
0003231050.tif 000003
【図２】
0003231050.tif 000004
【図３】
0003231050.tif 000005
【図４】
0003231050.tif 000006
【図５】
0003231050.tif 000007